(57)【要約】      （修正有）【課題】現行の手乾燥機は外形寸法が大きく、狭い場所への設置が困難で、脱水された水分が左右方向へ水分の飛散をするので、水受の横幅を小さくできず、また、装置内部のモータファンから噴出された風は、複雑に屈曲してノズルに到達するので、無駄な部分があり、装置の高さ寸法が大きい他、風の通路の抵抗や、消費電力が大きく、内部構造が複雑であり、大型で高価であるため、小型化の手乾燥機を提供する。【解決手段】手乾燥機は、モータファン３を収納する円筒状容器底部の周辺に沿って掘られた溝の底部にノズル１を持つ。ノズル１は円弧状であるので、左右方向への水分の飛散は防止され、水受１０の横幅寸法を小さくでき、また、モータファン３、その収納容器４、円弧状ノズル１の各中心軸を一致させているので、モータファン３から噴出された風は最短距離でノズル１に到達するので無駄な空間が無く、高さ寸法も小さく出来る。【選択図】図１
2012187367.tif 000002
【特許請求の範囲】
【請求項１】
モータファンで圧縮された空気をノズルから噴出させる方式の手乾燥機において、モータファンを収納する円筒状容器底部の周辺に沿って掘られた溝の底部に円弧状のノズルを持つ手乾燥機。
【請求項２】
スリットおよびそのスリットから外部へはみ出す穴が部分的に開けられたノズルを持つ［請求項１］記載の手乾燥機
【請求項３】
モータファン噴出口とノズルとの間に、ノズル方向に開いたコーンが置かれた［請求項１］記載の手乾燥機。
【発明の詳細な説明】
【技術分野】
【０００１】本発明は手の平に付着した水を、高速の空気で吹き飛ばす方式の手乾燥機に関する。
【背景技術】
【０００２】これまで、この種装置の低消費電力化、低価格化などに努力が払われて来た。しかし現行装置は一般家庭、歯科医院、小料理店などに普及するには依然外形が大きい。本発明は、性能を犠牲にすることなく、装置を小型化する構造を提案する。【０００３】
【先行技術文献】
【０００４】
【特許文献】
【特許文献】特願２００９−１８６８６７
【特許文献】意願２００９−１８１１０
【０００５】
【非特許文献】
【非特許文献】「松下エコ：ハンドドライヤ」「三菱電機：ジェットタオル」
【０００６】図４は現行の手乾燥機の内部構造を示す断面図である。外気はノズル２１の水平面以下の位置から吸込まれて、水分濾過フィルタ２５を通過し、ファン吸入口２６へ入り、モータファン２３で圧縮される。圧縮された空気はノズル内部に組み込まれた約３００Ｗの加熱素子２２で暖められ、外部へ噴出される。【０００７】現行装置図４のモータファン２３は振動を吸収するために、発泡材２４で巻かれている。これを装置に安定に固定するために、その中心軸は水平方向に置かれている。従って、モータファン２３から噴出された風は、途中で９０度方向を変えてから、ノズル２１に到達し、下方へ噴出される。この場合、風の走行距離が増す上に、方向変換の時に、風速低下、乱流発生などが起こる。すなわち、構造には無駄がある。【０００８】現行装置図４のノズル２１の形状は、装置の左右方向にほば直線状である。この場合、手から脱水された水分の一部は左右に飛び散るので、水受容器の横幅を大きく取る必要があり、装置大型化の原因となっている。
【発明の概要】
【発明が解決しようとする課題】
【０００９】本発明では、装置の幅方向および高さ方向の寸法を小さくして、装置の小型化を図っている。申請者は先に、加熱素子、水分濾過フィルタを使わず、手の想定位置をノズルに接近させることが可能な手乾燥機を申請した（特願２００９−１８６８６７）。本発明には、これらの方法も採用している。
【課題を解決するための手段】
【００１０】先ず、装置の幅方向を小さくするための構造を説明する。本発明装置（図１）では、モータファン収納容器４の底部周辺に沿って円弧状のノズル溝２が掘られている。この溝の外周は一様に約１５度内側に傾斜しているが、溝の底部に形成されるノズル１も円弧状である。（図３）従って、このノズル１から噴出された風は逆円錐形表面の一部を形成しながら下降する。ここで、ノズル１下方に濡れた手を入れると、脱水された水分は、逆円錐形を流れる風に包まれながら下降するので、左右方向へ飛び散る事はない。即ち、水受１０の左右幅を小さくする事ができるので、装置幅寸法を小さくできる。【００１１】次に、装置の高さ方向を小さくするための構造を説明する。本発明装置（図１）では、モータファン３の中心軸は縦方向となるように置かれ、同じく縦方向に置かれたモータファン収納容器４の中心軸と一致している。また、この中心軸は円弧状のノズル１の中心軸とも一致している。従って、モータファン３が噴出する風は、途中で屈曲することなく、中心軸の周囲を螺旋状に回転しながら下降する。即ち、最短距離でノズル１に到達する。この結果、装置の高さ方向の寸法を小さくできる。また、この間に乱流などの発生はない。
一方、現行装置（図４）では、モータファン２３の中心軸は水平であるため、噴出された風は、直角に方向転換してから、ノズル２１に到達する。即ち、風の通路は屈曲しているので、風の通路が長くなるほか、風速が低下したり、乱流が発生するという不利な現象が発生する。【００１２】次に、ノズル１から噴出する風の減速を少なくする構造を説明する。一般に、断面がスリット形ノズルでは、連続的であるが、モータファンの風量に制限が有るので、スリット幅を大きくできない。この場合、風の減速が大きい。一方、断面が円形のノズルでは断続的であるが、直進性が良いので減速が少ない。この両者を組み合わせると、一定の風量で、減速の少ない高速の風が得られる。円形穴のピッチは２０ｍｍ程度で効果がある。このように、スリットと穴を組合わせると、ノズル１からは連続的で、しかも減速が少ない風が得られる。（図３）【００１３】次に、ノズル１に掛かる風圧を高める構造を説明する。一般に、モータファン噴出口５からはモータ軸を中心に回転する風が噴出される。従って、モータファン３とモータファン収納容器４の間に、中空の円錐台形のコーン７を追加すると、サイクロン効果により、ノズル１での風圧が増加し、ノズル１から噴出される風の速さが増加する。【００１４】本発明装置（図１）では、ノズル１は装置前面から突き出している。この場合、手の平の見通しが良いので手の平をノズル１に接近させ易い。また、本装置の吸入口は装置の裏側にあり、この位置は、脱水された水分を吸い込まない位置である。従って、現行装置の水分濾過フィルタ２５は不要である。【００１５】
【発明の効果】
【００１６】以上のように、本発明装置（図１）では、円弧状のノズル１の効果により、左右方向への水分の飛散は無いので、装置の横幅を小さくする事ができる。また、スリット状の穴と円状の穴の組合せ効果により、ノズル１からは減速の少ない連続の風が得られる。また、モータファン３、モータファン収納容器４および、ノズル１の各中心軸は一致しているので、風の通路に無駄が無く、装置の高さが短くなる。実際の製品の寸法は高３９０（４８０）×横２１０（２５０）×奥１７５（１８０）ｍｍ程度である。（カッコ内は現行装置例）。またコーン７によるサイクロン効果により、ノズル１から噴出される風の風速は強化される。
【発明を実施するための形態】
【００１７】手がノズル１下方に置かれると、センサ８がこれを感知して、モータファン３が始動し、ノズル１から高速の風が噴出され、手の水分は脱水される。手がノズル１下部から離れるとモータファン３は停止する。なお、本発明装置（図１）では、風の水平断面は曲線状であるが、これを手の平の付け根から手先の方向へ順次当てれば、手の平の水分は手先の方向へ追いやられ、脱水は完了する。
【図面の簡単な説明】
【００１８】
【図１】本発明装置（断面図）
【図２】本発明装置の装置吸入口
【図３】本発明装置のノズル部
【図４】現行装置（断面図）
【符号の説明】
【００１９】１ノズル、２ノズル溝、３モータファン、４モータファン収納容器、５モータファン噴出口、６制御回路収納部、７コーン、８センサ、９ドレイン、１０水受、
２１ノズル、２２発熱素子、２３モータファン、２４発泡材、２５水分濾過フィルタ、２６モータファン吸入口
【図１】
2012187367.tif 000003
【図２】
2012187367.tif 000004
【図３】
2012187367.tif 000005
【図４】
2012187367.tif 000006